(57)【要約】【課題】  エアフィルタの種別に応じて冷却ファンを駆動制御できる電子機器を提供することにある。【解決手段】電子機器としてのプロジェクタ１は、冷却ファン１３Ａと、冷却ファン１３Ａを駆動制御するファン制御装置１４Ａと、外装筺体とを備える。外装筺体には、複数種類のエアフィルタをそれぞれ着脱自在に構成され冷却ファン１３Ａにより外装筺体外部の空気を導入するための吸気口が形成されている。ファン制御装置１４Ａは、エアフィルタの種別に対応した冷却ファン１３Ａを駆動制御するための複数のファン制御情報を記憶するファン制御情報記憶手段１４６Ａと、吸気口に取り付けられたエアフィルタの種別を認識する種別認識手段１４５Ａと、種別認識手段１４５Ａにて認識されたエアフィルタの種別に対応したファン制御情報に基づいて冷却ファン１３Ａを駆動制御する駆動制御手段１４５Ｂとを備える。【選択図】 図３
2007073707.tif 000002
【特許請求の範囲】
【請求項１】
冷却空気を送風する冷却ファンと、前記冷却ファンを駆動制御するファン制御装置と、前記冷却ファンおよび前記ファン制御装置を内部に収納配置する外装筺体とを備えた電子機器であって、
前記外装筺体には、異物の侵入を防止する複数種類のエアフィルタをそれぞれ着脱自在に構成され前記冷却ファンにより前記外装筺体外部の空気を前記外装筺体内部に導入するための吸気口が形成され、
前記ファン制御装置は、
前記エアフィルタの種別に対応し、前記冷却ファンを駆動制御するための複数のファン制御情報を記憶するファン制御情報記憶手段と、
前記吸気口に取り付けられた前記エアフィルタの種別を認識する種別認識手段と、
前記種別認識手段にて認識された前記エアフィルタの種別に対応した前記ファン制御情報に基づいて前記冷却ファンを駆動制御する駆動制御手段とを備えていることを特徴とする電子機器。
【請求項２】
請求項１に記載の電子機器において、
前記エアフィルタの種別を設定入力させる設定入力部を備え、
前記設定入力部は、前記エアフィルタの種別が設定入力されることで前記種別に応じた所定の信号を出力し、
前記種別認識手段は、前記設定入力部から出力される信号に基づいて前記エアフィルタの種別を認識することを特徴とする電子機器。
【請求項３】
請求項１に記載の電子機器において、
前記吸気口近傍には、前記吸気口に前記エアフィルタを取り付けた際に前記エアフィルタと係合し前記エアフィルタの種別を検出する検出スイッチが設けられ、
前記エアフィルタには、前記検出スイッチと係合する前記種別に応じた係合部が設けられ、
前記検出スイッチには、前記エアフィルタの係合部と係合可能とする複数のスイッチ部が設けられ、
前記検出スイッチは、前記複数のスイッチ部のうち少なくともいずれかのスイッチ部が前記エアフィルタの前記係合部と係合することで前記エアフィルタの種別を検出して前記種別に応じた所定の信号を出力し、
前記種別認識手段は、前記検出スイッチから出力される信号に基づいて前記エアフィルタの種別を認識することを特徴とする電子機器。
【請求項４】
請求項１に記載の電子機器において、
前記冷却ファンによる空気の風量を検出する風量検出部を備え、
前記種別認識手段は、前記風量検出部にて検出された風量に基づいて前記エアフィルタの種別を認識することを特徴とする電子機器。
【請求項５】
請求項４に記載の電子機器において、
前記風量検出部は、第１の温度検出部、発熱体、および第２の温度検出部から構成され、
前記第２の温度検出部は、前記第１の温度検出部および前記発熱体と別体で構成され、前記発熱体による熱の影響を受けることのない位置に設けられていることを特徴とする電子機器。
【請求項６】
請求項１に記載の電子機器において、
前記外装筺体内部の温度を検出する温度検出部を備え、
前記種別認識手段は、前記温度検出部にて検出された温度に基づいて前記エアフィルタの種別を認識することを特徴とする電子機器。
【請求項７】
請求項１から請求項６のいずれかに記載の電子機器において、
前記複数のファン制御情報は、前記エアフィルタの種別に対応し、所定の初期電圧値で前記冷却ファンを駆動させる駆動信号を生成するための複数の初期電圧値情報であり、
前記外装筺体内部の温度を検出する温度検出部を備え、
前記駆動制御手段は、前記種別認識手段にて認識された前記エアフィルタの種別に対応した前記初期電圧値情報に基づく前記初期電圧値で前記冷却ファンを駆動させた後、前記温度検出部にて検出された検出温度を順次認識し、認識した検出温度と所定の設定温度とを比較して偏差量を算出し、前記偏差量に基づいて従前に前記冷却ファンを駆動させていた電圧を変更して前記冷却ファンを駆動させるフィードバック制御を実施することを特徴とする電子機器。
【請求項８】
請求項７に記載の電子機器において、
前記設定温度は、前記エアフィルタの種別に対応して複数設けられていることを特徴とする電子機器。
【請求項９】
請求項１から請求項８のいずれかに記載の電子機器において、
前記ファン制御装置は、
前記種別認識手段にて前記エアフィルタの種別が認識された時点から当該電子機器の駆動時間を計測する計測手段と、
前記エアフィルタの種別に対応し、前記エアフィルタの交換時間に関する複数の時間情報を記憶する時間情報記憶手段と、
前記計測手段にて計測された計測時間と、前記種別認識手段にて認識された前記エアフィルタの種別に対応した時間情報に基づく交換時間とを比較し、前記計測時間が前記交換時間に達した場合に、報知部に前記エアフィルタの交換を促す情報を報知させる報知制御手段とを備えていることを特徴とする電子機器。
【請求項１０】
請求項１から請求項９のいずれかに記載の電子機器において、
当該電子機器は、光源装置と、前記光源装置から射出された光束を画像情報に応じて変調して光学像を形成する光変調装置と、前記光学像を拡大投射する投射光学装置とを備えたプロジェクタであることを特徴とする電子機器。
【請求項１１】
冷却空気を送風する冷却ファンと、前記冷却ファンを駆動制御するファン制御装置と、前記冷却ファンおよび前記ファン制御装置を内部に収納配置する外装筺体とを備えた電子機器の制御方法であって、
前記外装筺体には、異物の侵入を防止する複数種類のエアフィルタをそれぞれ着脱自在に構成され前記冷却ファンにより前記外装筺体外部の空気を前記外装筺体内部に導入するための吸気口が形成され、
前記ファン制御装置が、
前記吸気口に取り付けられた前記エアフィルタの種別を認識する種別認識ステップと、
認識した前記エアフィルタの種別に対応したファン制御情報に基づいて前記冷却ファンを駆動制御する駆動制御ステップとを備えていることを特徴とする電子機器の制御方法。
【発明の詳細な説明】
【技術分野】
【０００１】
本発明は、電子機器、および電子機器の制御方法に関する。
【背景技術】
【０００２】
従来、光源から射出された光束を画像情報に応じて変調し、拡大投射するプロジェクタが利用されており、近年、このようなプロジェクタは、企業におけるパーソナルコンピュータでプレゼンテーションを行ったり、家庭内で映画等を見たり、種々の用途に用いられている。
このようなプロジェクタは、光源と、この光源から射出された光束を画像情報に応じて変調して光学像を形成する光変調装置と、光源および光変調装置の間に配置され、光源から射出された光束に種々の光学変換を施す光学変換素子、レンズ、ミラー等の光学部品とを備えて構成され、これらの光源、光変調装置、および光学部品は、外装筺体の内部に収納されている。
【０００３】
ここで、光源や、プロジェクタに電力を供給するための電源回路、光源駆動用の回路は、動作中筺体内部で加熱する発熱源である一方、光学エンジンを構成する光学部品、光変調装置には熱に弱いものもある。このため、プロジェクタには、外装筺体の吸気口を介して外部から冷却空気を導入し、外装筺体内部の各部品を冷却した後、外装筺体外部に加熱された空気を排出する冷却装置が設けられている。
このような冷却装置は、冷却ファンが採用され、プロジェクタ内部に設けた制御装置にて冷却ファンの回転数を制御し、プロジェクタ内部を効率的に冷却する方法が提案されている（例えば、特許文献１参照）。
【０００４】
【特許文献１】特開２０００−１９４０７２号公報
【発明の開示】
【発明が解決しようとする課題】
【０００５】
ところで、外装筺体の吸気口には、塵埃等の異物の侵入を防止することを目的としてエアフィルタを取り付けることが一般的である。このようなエアフィルタは、塵埃等の捕集効率の異なる複数種類のエアフィルタがある。このため、エアフィルタの種別毎に、冷却ファンにより吸気口を介して外部からの冷却空気を導入する際の圧力損失が異なる。
しかしながら、特許文献１に記載のプロジェクタでは、制御装置は、プロジェクタの内部温度等に応じて冷却ファンを駆動制御している。すなわち、エアフィルタの種別に応じて冷却ファンを駆動制御していない。このため、例えば、捕集効率の高いエアフィルタを用いた場合には、圧力損失が大きくプロジェクタの内部温度の上昇率が大きいため、冷却ファンの回転数の増加率を大きくする制御を実施し、冷却ファンの駆動時の音を不要に大きくし、プロジェクタの静粛性を保つことができない。
したがって、エアフィルタの種別に応じて冷却ファンを駆動制御できる技術が要望されている。
【０００６】
本発明の目的は、エアフィルタの種別に応じて冷却ファンを駆動制御できる電子機器、および電子機器の制御方法を提供することにある。
【課題を解決するための手段】
【０００７】
本発明の電子機器は、冷却空気を送風する冷却ファンと、前記冷却ファンを駆動制御するファン制御装置と、前記冷却ファンおよび前記ファン制御装置を内部に収納配置する外装筺体とを備えた電子機器であって、前記外装筺体には、異物の侵入を防止する複数種類のエアフィルタをそれぞれ着脱自在に構成され前記冷却ファンにより前記外装筺体外部の空気を前記外装筺体内部に導入するための吸気口が形成され、前記ファン制御装置は、前記エアフィルタの種別に対応し、前記冷却ファンを駆動制御するための複数のファン制御情報を記憶するファン制御情報記憶手段と、前記吸気口に取り付けられた前記エアフィルタの種別を認識する種別認識手段と、前記種別認識手段にて認識された前記エアフィルタの種別に対応した前記ファン制御情報に基づいて前記冷却ファンを駆動制御する駆動制御手段とを備えていることを特徴とする。
ここで、複数種類のエアフィルタとは、例えば、塵埃等の異物を捕集する際の捕集効率の異なるエアフィルタを採用できる。
【０００８】
本発明によれば、ファン制御装置がファン制御情報記憶手段と、種別認識手段と、駆動制御手段とを備えているので、例えば、以下に示すように、冷却ファンを駆動制御できる。
先ず、種別認識手段は、吸気口に取り付けられたエアフィルタの種別を認識する。そして、種別認識手段は、認識したエアフィルタの種別に応じた信号を駆動制御手段に出力する。
次に、駆動制御手段は、種別認識手段にて認識されたエアフィルタの種別に対応したファン制御情報をファン制御情報記憶手段から読み出し、読み出したファン制御情報に基づいて駆動信号を生成し駆動信号を冷却ファンに出力して冷却ファンを駆動制御する。
以上のように、ファン制御装置により、エアフィルタの種別に応じて冷却ファンを駆動制御できるため、例えば、吸気口に捕集効率の高いエアフィルタが取り付けられている場合には、予め、冷却ファンの回転数を大きくした状態から冷却ファンを駆動させる制御等を実施でき、冷却ファンの回転数の増加率を大きくすることなく冷却ファンの駆動時の音を不要に大きくせずにプロジェクタの静粛性を保つことができる。
【０００９】
本発明の電子機器では、前記エアフィルタの種別を設定入力させる設定入力部を備え、前記設定入力部は、前記エアフィルタの種別が設定入力されることで前記種別に応じた所定の信号を出力し、前記種別認識手段は、前記設定入力部から出力される信号に基づいて前記エアフィルタの種別を認識することが好ましい。
本発明では、種別認識手段は、利用者により設定入力部にエアフィルタの種別が設定入力され設定入力部から出力される信号に基づいて、エアフィルタの種別を認識する。このことにより、エアフィルタの種別を簡単な構造で正確に認識できる。
【００１０】
本発明の電子機器では、前記吸気口近傍には、前記吸気口に前記エアフィルタを取り付けた際に前記エアフィルタと係合し前記エアフィルタの種別を検出する検出スイッチが設けられ、前記エアフィルタには、前記検出スイッチと係合する前記種別に応じた係合部が設けられ、前記検出スイッチには、前記エアフィルタの前記係合部と係合可能とする複数のスイッチ部が設けられ、前記検出スイッチは、前記複数のスイッチ部のうち少なくともいずれかのスイッチ部が前記エアフィルタの係合部と係合することで前記エアフィルタの種別を検出して前記種別に応じた所定の信号を出力し、前記種別認識手段は、前記検出スイッチから出力される信号に基づいて前記エアフィルタの種別を認識することが好ましい。
本発明では、検出スイッチは、吸気口に対してエアフィルタが取り付けられることでエアフィルタにおける種別に応じた係合部と係合可能とする複数のスイッチ部を備える。また、検出スイッチは、複数のスイッチ部のうち少なくともいずれかのスイッチ部が係合部と係合することでエアフィルタの種別を検出し、検出した種別に応じた所定の信号を出力する。そして、種別認識手段は、検出スイッチから出力される信号に基づいてエアフィルタの種別を認識する。このことにより、利用者にエアフィルタの種別を設定入力させる作業を実施させる必要がなく、エアフィルタの種別を簡単な構造で容易に認識できる。
【００１１】
本発明の電子機器では、前記冷却ファンによる空気の風量を検出する風量検出部を備え、前記種別認識手段は、前記風量検出部にて検出された風量に基づいて前記エアフィルタの種別を認識することが好ましい。
ところで、例えば、吸気口に捕集効率の高いエアフィルタが取り付けられている場合には、冷却ファンにより吸気口を介して外部からの冷却空気を導入する際の圧力損失が大きくなり、冷却ファンにて吸入・吐出する際の空気の風量が小さくなる。一方、吸気口に捕集効率の低いエアフィルタが取り付けられている場合には、冷却ファンにより吸気口を介して外部からの冷却空気を導入する際の圧力損失が小さくなり、冷却ファンにて吸入・吐出する際の空気の風量が大きくなる。
本発明では、種別認識手段は、風量検出部にて検出された冷却ファンによる空気の風量に基づいて、例えば、検出された風量が小さい場合には捕集効率の高いエアフィルタとして、検出された風量が大きい場合には捕集効率の低いエアフィルタとして認識できる。このことにより、利用者にエアフィルタの種別を設定入力させる作業を実施させる必要がなく、エアフィルタの種別を簡単な演算処理で容易に認識できる。
【００１２】
本発明の電子機器では、前記風量検出部は、第１の温度検出部、発熱体、および第２の温度検出部から構成され、前記第２の温度検出部は、前記第１の温度検出部および前記発熱体と別体で構成され、前記発熱体による熱の影響を受けることのない位置に設けられていることが好ましい。
本発明によれば、風量検出部における第２の温度検出部が発熱体および第１の温度検出部と別体で構成されているので、電子機器を製造する際に、風量検出部のレイアウトの自由度を向上できる。
また、風量検出部における第２の温度検出部が、発熱体による熱の影響を受けることのない位置に設けられているので、発熱体による熱の影響を受けることなく第２の温度検出部にて周囲温度を良好に検出させることができ、空気の風量をより高精度に検出でき、すなわち、エアフィルタの種別を良好に認識できる。
【００１３】
本発明の電子機器では、前記外装筺体内部の温度を検出する温度検出部を備え、前記種別認識手段は、前記温度検出部にて検出された温度に基づいて前記エアフィルタの種別を認識することが好ましい。
ところで、例えば、吸気口に捕集効率の高いエアフィルタが取り付けられている場合には、冷却ファンにより吸気口を介して外部からの冷却空気を導入する際の圧力損失が大きくなり、外装筺体内部の温度の上昇率が大きいものとなる。一方、吸気口に捕集効率の低いエアフィルタが取り付けられている場合には、冷却ファンにより吸気口を介して外部からの冷却空気を導入する際の圧力損失が小さくなり、外装筺体内部の温度の上昇率が小さいものとなる。
本発明では、種別認識手段は、温度検出部にて検出された外装筺体内部の温度に基づいて、例えば、検出された温度が大きい場合には捕集効率の高いエアフィルタとして、検出された温度が小さい場合には捕集効率の低いエアフィルタとして認識できる。このことにより、利用者にエアフィルタの種別を設定入力させる作業を実施させる必要がなく、エアフィルタの種別を簡単な演算処理で容易に認識できる。
【００１４】
本発明の電子機器では、前記複数のファン制御情報は、前記エアフィルタの種別に対応し、所定の初期電圧値で前記冷却ファンを駆動させる駆動信号を生成するための複数の初期電圧値情報であり、前記外装筺体内部の温度を検出する温度検出部を備え、前記駆動制御手段は、前記種別認識手段にて認識された前記エアフィルタの種別に対応した前記初期電圧値情報に基づく前記初期電圧値で前記冷却ファンを駆動させた後、前記温度検出部にて検出された検出温度を順次認識し、認識した検出温度と所定の設定温度とを比較して偏差量を算出し、前記偏差量に基づいて従前に前記冷却ファンを駆動させていた電圧を変更して前記冷却ファンを駆動させるフィードバック制御を実施することが好ましい。
本発明では、駆動制御手段は、種別認識手段にて認識されたエアフィルタの種別に対応した初期電圧値情報に基づく初期電圧で冷却ファンを駆動させた後、温度検出部にて検出された検出温度と、所定の設定温度とに基づいて、上述したフィードバック制御を実施する。ここで、例えば、初期電圧値情報として、捕集効率の高いエアフィルタに対応した初期電圧値情報に基づく初期電圧値を高く、捕集効率の低いエアフィルタに対応した初期電圧値情報に基づく初期電圧値を低く設定する。すなわち、エアフィルタの種別に応じた捕集効率の高いエアフィルタから捕集効率の低いエアフィルタにかけて、高い初期電圧値から低い初期電圧値に設定する。このことにより、駆動制御手段による冷却ファンのフィードバック制御時において、吸気口に捕集効率の高いエアフィルタが取り付けられている場合には冷却ファンに印加する初期電圧値を高くして初期駆動時における冷却ファンの回転数を大きくし、一方、吸気口に捕集効率の低いエアフィルタが取り付けられている場合には冷却ファンに印加する初期電圧値を低くして初期駆動時における冷却ファンの回転数を小さくできる。このため、駆動制御手段による冷却ファンのフィードバック制御時において、冷却ファンの回転数の増加率を大きくすることなく冷却ファンの駆動時の音を不要に大きくせずに、外装筺体内部の温度を所定の設定温度まで迅速に冷却できる。
【００１５】
本発明の電子機器では、前記設定温度は、前記エアフィルタの種別に対応して複数設けられていることが好ましい。
本発明では、駆動制御手段による冷却ファンのフィードバック制御に用いられる設定温度がエアフィルタの種別に対応して複数設けられている。例えば、設定温度として、捕集効率の高いエアフィルタに対応した設定温度を高く、捕集効率の低いエアフィルタに対応した設定温度を低く設定する。すなわち、エアフィルタの種別に応じた捕集効率の高いエアフィルタから捕集効率の低いエアフィルタにかけて、高い設定温度から低い設定温度に設定する。このことにより、例えば、設定温度をエアフィルタの種別にかかわらず同一の設定温度とした場合と比較して、捕集効率の高いエアフィルタが吸気口に取り付けられている際に冷却ファンの回転数の増加率が大きくなったり、外装筺体内部の温度が設定温度近傍に安定した状態での冷却ファンの回転数が大きいものとなることがなく、エアフィルタの種別に適した冷却ファンのフィードバック制御を実施できる。
【００１６】
本発明の電子機器では、前記ファン制御装置は、前記種別認識手段にて前記エアフィルタの種別が認識された時点から当該電子機器の駆動時間を計測する計測手段と、前記エアフィルタの種別に対応し、前記エアフィルタの交換時間に関する複数の時間情報を記憶する時間情報記憶手段と、前記計測手段にて計測された計測時間と、前記種別認識手段にて認識された前記エアフィルタの種別に対応した時間情報に基づく交換時間とを比較し、前記計測時間が前記交換時間に達した場合に、報知部に前記エアフィルタの交換を促す情報を報知させる報知制御手段とを備えていることが好ましい。
ところで、エアフィルタを長期間使用した場合には、エアフィルタに塵埃等の異物が捕集され、エアフィルタにより塵埃等の異物を捕集する際の捕集効率が変化してしまう。このようにエアフィルタの捕集効率が変化した場合には、上述したようにエアフィルタの種別に応じて冷却ファンの駆動制御を実施しても、冷却ファンにて外装筺体内部を効率的に冷却することが難しい。
本発明では、計測手段は、種別認識手段にてエアフィルタの種別が認識された時点から電子機器の駆動時間を計測する。そして、報知制御手段は、計測手段にて計測された計測時間と、種別認識手段にて認識されたエアフィルタの種別に対応した時間情報に基づく交換時間とが同一となった場合に、報知部にエアフィルタの交換を促す情報を報知させる。このことにより、利用者に報知部を介してエアフィルタを交換する時期を認識させることができる。このため、利用者がエアフィルタの交換する時期を認識してエアフィルタを交換すれば、上述したようにファン制御装置がエアフィルタの種別に応じて冷却ファンの駆動制御を実施することで冷却ファンにて外装筺体内部を効率的に冷却できる。
【００１７】
本発明の電子機器では、当該電子機器は、光源装置と、前記光源装置から射出された光束を画像情報に応じて変調して光学像を形成する光変調装置と、前記光学像を拡大投射する投射光学装置とを備えたプロジェクタであることが好ましい。
本発明によれば、上述したようにエアフィルタの種別に応じて冷却ファンを駆動制御できる電子機器を、プロジェクタとすることで、プロジェクタの静粛性を良好に確保でき、プロジェクタから出力される音声が冷却ファンから生じる騒音により妨害されることがなく、利用者にプロジェクタからの投影画像を良好に観賞させることができ不快感を与えることがない。
【００１８】
本発明の電子機器の制御方法は、冷却空気を送風する冷却ファンと、前記冷却ファンを駆動制御するファン制御装置と、前記冷却ファンおよび前記ファン制御装置を内部に収納配置する外装筺体とを備えた電子機器の制御方法であって、前記外装筺体には、異物の侵入を防止する複数種類のエアフィルタをそれぞれ着脱自在に構成され前記冷却ファンにより前記外装筺体外部の空気を前記外装筺体内部に導入するための吸気口が形成され、前記ファン制御装置が、前記吸気口に取り付けられた前記エアフィルタの種別を認識する種別認識ステップと、認識した前記エアフィルタの種別に対応したファン制御情報に基づいて前記冷却ファンを駆動制御する駆動制御ステップとを備えていることを特徴とする。
本発明によれば、電子機器の制御方法は、種別認識ステップと、駆動制御ステップとを備えているので、上述した電子機器と同様の作用・効果を享受できる。
【発明を実施するための最良の形態】
【００１９】
[第１実施形態]
以下、本発明の第１実施形態を図面に基づいて説明する。
〔プロジェクタの構成〕
図１は、本発明に係る電子機器としてのプロジェクタ１の概略構成を示す図である。
プロジェクタ１は、光源から射出される光束を画像情報に応じて変調してカラー画像を形成し、形成したカラー画像をスクリーン（図示略）上に拡大投射する。このプロジェクタ１は、図１に示すように、外装筺体１１と、光学ユニット１２と、ファン装置１３（図２、図３参照）と、制御装置１４（図３参照）とを備える。
外装筺体１１は、射出成型等による合成樹脂製品であり、光学ユニット１２、ファン装置１３、および制御装置１４を内部に収納配置する全体略直方体状に形成されている。なお、具体的な図示は省略するが、外装筺体１１内部には、光学ユニット１２、ファン装置１３、および制御装置１４の他、プロジェクタ１の各構成部材に電力を供給する電源装置等が配置されるものとする。また、外装筺体１１としては、合成樹脂製品に限らず、その他の材料、例えば、金属材料で構成しても構わない。
【００２０】
この外装筺体１１は、具体的な図示は省略するが、プロジェクタ１の天面、前面、背面、および側面をそれぞれ構成するアッパーケースと、プロジェクタ１の底面、前面、側面、および背面をそれぞれ構成するロアーケースとで構成され、前記アッパーケースおよび前記ロアーケースは互いにねじ等で固定されている。
また、外装筺体１１には、ファン装置１３によりプロジェクタ１外部の冷却空気を内部に取り込むための吸気口１１１（図２参照）と、プロジェクタ１内部の空気を排出するための排気口（図示略）とが形成されている。そして、吸気口１１１は、外部から塵埃等の異物の侵入を防止するための複数種類のエアフィルタＡＦを取付可能に構成されている（図２参照）。
本実施形態では、吸気口１１１に取付可能なエアフィルタＡＦを、３種類とする。具体的に、３種類のエアフィルタＡＦは、塵埃等の異物の捕集効率が異なるものであり、以下では、捕集効率の高いものから順に、エアフィルタＡＦ１、エアフィルタＡＦ２、およびエアフィルタＡＦ３とする。
【００２１】
さらに、外装筺体１１には、ユーザによる入力操作が実施される設定入力部１１２（図３参照）が形成されている。
この設定入力部１１２は、図示しないリモートコントローラや、プロジェクタ１に備えられたボタンやキーにより構成され、利用者による操作を認識して所定の操作信号を制御装置１４に出力する。この設定入力部１１２は、吸気口１１１に取り付けたエアフィルタＡＦの種別（エアフィルタＡＦ１〜ＡＦ３）を設定入力させるための入力ボタン等を備えている。なお、設定入力部１１２は、前記入力ボタンの他、プロジェクタ１のＯＮ／ＯＦＦを実施する入力ボタン、音量調整を実施する入力ボタン、投影画像の画質調整を実施する入力ボタン等の他の入力ボタンも備えている。
そして、設定入力部１１２は、利用者による入力ボタンの押下を認識し、エアフィルタＡＦの種別（エアフィルタＡＦ１〜ＡＦ３）に応じた操作信号を制御装置１４に出力する。
【００２２】
光学ユニット１２は、制御装置１４による制御の下、光源装置から射出された光束を画像情報に応じて変調してカラー画像を形成し、投射レンズを介してスクリーン上に拡大投射する。この光学ユニット１２は、図１に示すように、インテグレータ照明光学系１２１と、色分離光学装置１２２と、リレー光学系１２３と、光学装置１２４と、投射光学装置としての投射レンズ１２５と、光学部品用筐体１２６とを備える。
インテグレータ照明光学系１２１は、光源から射出された光束を照明光軸直交面内における照度を均一にするための光学系である。このインテグレータ照明光学系１２１は、図１に示すように、光源ランプ１２１Ａ１、リフレクタ１２１Ａ２、およびランプドライバ１２１Ａ３（図３参照）を含む光源装置１２１Ａと、第１レンズアレイ１２１Ｂと、第２レンズアレイ１２１Ｃと、偏光変換素子１２１Ｄと、重畳レンズ１２１Ｅとを備える。光源ランプ１２１Ａ１から射出された光束は、リフレクタ１２１Ａ２によって射出方向が揃えられ、第１レンズアレイ１２１Ｂによって複数の部分光束に分割され、第２レンズアレイ１２１Ｃの近傍で結像する。第２レンズアレイ１２１Ｃから射出された各部分光束は、その中心軸（主光線）が後段の偏光変換素子１２１Ｄの光束入射側端面に垂直となるように入射し、偏光変換素子１２１Ｄにて略１種類の直線偏光光として射出される。偏光変換素子１２１Ｄから直線偏光光として射出され、重畳レンズ１２１Ｅを介した複数の部分光束は、光学装置１２４の後述する３枚の液晶パネル上で重畳する。
【００２３】
色分離光学装置１２２は、２枚のダイクロイックミラー１２２Ａ，１２２Ｂと、反射ミラー１２２Ｃとを備え、これらのダイクロイックミラー１２２Ａ，１２２Ｂ、反射ミラー１２２Ｃによりインテグレータ照明光学系１２１から射出された複数の部分光束を赤、緑、青の３色の色光に分離する機能を有する。
リレー光学系１２３は、入射側レンズ１２３Ａ、リレーレンズ１２３Ｂ、および反射ミラー１２３Ｃ，１２３Ｄを備え、色分離光学装置１２２で分離された色光を後述する液晶パネルまで導く機能を有する。
【００２４】
光学装置１２４は、色分離光学装置１２２から射出される３つの色光を画像情報に応じてそれぞれ変調し、変調した各色光を合成してカラー画像を形成する。この光学装置１２４は、図１に示すように、液晶パネル１２４Ａ１を有する３つの光変調装置１２４Ａと、これら光変調装置１２４Ａの光束入射側および光束射出側にそれぞれ配置される入射側偏光板１２４Ｂおよび射出側偏光板１２４Ｃと、クロスダイクロイックプリズム１２４Ｄとを備える。
入射側偏光板１２４Ｂは、偏光変換素子１２１Ｄで偏光方向が略一方向に揃えられた各色光が入射され、入射された光束のうち、偏光変換素子１２１Ｄで揃えられた光束の偏光軸と略同一方向の偏光光のみ透過させ、その他の光束を吸収するものである。この入射側偏光板１２４Ｂは、例えば、サファイアガラスまたは水晶等の透光性基板上に偏光膜が貼付された構成を有している。
光変調装置１２４Ａを構成する液晶パネル１２４Ａ１は、具体的な図示は省略するが、一対の透明なガラス基板に電気光学物質である液晶が密閉封入された構成を有し、制御装置１４から出力される駆動信号に応じて、前記液晶の配向状態が制御され、入射側偏光板１２４Ｂから射出された偏光光束の偏光方向を変調する。
【００２５】
射出側偏光板１２４Ｃは、入射側偏光板１２４Ｂと略同様の構成であり、光変調装置１２４Ａから射出された光束のうち、入射側偏光板１２４Ｂにおける光束の透過軸と直交する偏光軸を有する光束のみ透過させ、その他の光束を吸収するものである。
クロスダイクロイックプリズム１２４Ｄは、射出側偏光板１２４Ｃから射出された色光毎に変調された光学像を合成してカラー画像を形成する光学素子である。このクロスダイクロイックプリズム１２４Ｄは、４つの直角プリズムを貼り合わせた平面視正方形状をなし、直角プリズム同士を貼り合わせた界面には、２つの誘電体多層膜が形成されている。これら誘電体多層膜は、投射レンズ１２５に対向する側に配置された光変調装置１２４Ａから射出され射出側偏光板１２４Ｃを介した色光を透過し、残りの２つの各光変調装置１２４Ａから射出され射出側偏光板１２４Ｃを介した色光を反射する。このようにして、各光変調装置１２４Ａにて変調された各色光が合成されてカラー画像が形成される。
投射レンズ１２５は、筒状の鏡筒内に複数のレンズが収納された組レンズとして構成され、光学装置１２４により画像情報に応じて変調されたカラー画像をスクリーン（図示略）に拡大投射する。
【００２６】
光学部品用筐体１２６は、射出成型等による合成樹脂製品であり、図１に示すように、上述した光学部品１２１〜１２４が収納される部品収納部材１２６Ａと、部品収納部材１２６Ａの上面の開口部分を塞ぐ蓋状部材（図示略）とを備える。なお、光学部品用筐体１２６としては、合成樹脂製品に限らず、その他の材料、例えば、金属材料で構成しても構わない。
部品収納部材１２６Ａは、光源装置１２１Ａが収納される光源収納部１２６Ｂと、光源装置１２１Ａを除く他の光学部品１２１〜１２４が収納される容器状に形成された部品収納部１２６Ｃとを備える。
光源収納部１２６Ｂは、略箱型形状であり、具体的な図示は省略するが、部品収納部１２６Ｃ側の端面、およびこの端面に対向する端面に開口が形成され、投射レンズ１２５の投射方向側の端面、およびこの端面に対向する端面に光源収納部１２６Ｂ内外に空気を流通可能とする空気流通孔が形成されている。部品収納部１２６Ｃ側の端面に形成された開口は、光源装置１２１Ａから射出された光束を透過させるためのものである。部品収納部１２６Ｃ側の端面に対向する端面に形成された開口は、光源装置１２１Ａを光源収納部１２６Ｂの側方から挿し込むようにして収納するための開口である。
【００２７】
図２は、ファン装置１３による冷却構造の一例を模式的に示す図である。
ファン装置１３は、冷却ファン１３Ａ（図２）およびファンドライバ１３Ｂ（図３参照）で構成され、制御装置１４による制御の下、図２に示すように、外装筺体１１の吸気口１１１を介して外装筺体１１外部の冷却空気を導入し、プロジェクタ１内で発生する熱を冷却する。より具体的に、冷却ファン１３Ａは、図２に示すように、吸気口１１１に接続された吸気側ダクト１３１を介して外装筺体１１外部の冷却空気を吸入し、排出側ダクト１３２を介して光学装置１２４に向けて冷却空気を送風する。そして、光学装置１２４に冷却空気が送風されることで、光学装置１２４を構成する部材（液晶パネル１２４Ａ１、入射側偏光板１２４Ｂ、および射出側偏光板１２４Ｃ等）が冷却される。
【００２８】
〔プロジェクタの制御構造〕
図３は、制御装置１４によるプロジェクタ１の制御構造を示すブロック図である。
制御装置１４は、図３に示すように、各液晶パネル１２４Ａ１、光源装置１２１Ａ、冷却ファン１３Ａ等を制御する。この制御装置１４は、図３に示すように、インターフェース部１４１と、液晶パネル駆動制御部１４２と、フレームメモリ１４３と、ランプ駆動制御部１４４と、ファン駆動制御部１４５と、メモリ１４６とを備える。
インターフェース部１４１は、外部から信号線を介して入力される信号に対して予め設定されている入力インターフェース処理を実行し、液晶パネル駆動制御部１４２等に出力する。例えば、インターフェース部１４１は、各種外部機器から出力される画像信号等を入力し、液晶パネル駆動制御部１４２にて処理可能な画像信号に変換して出力する。そして、インターフェース部１４１から出力された画像信号（デジタル画像信号）は、フレームメモリ１４３に一時的に記録される。
【００２９】
液晶パネル駆動制御部１４２は、インターフェース部１４１から出力されフレームメモリ１４３に順次記憶されるデジタル画像信号を適宜読み出して、読み出したデジタル画像信号に対して所定の処理を施し、処理を施した画像に対応する画像情報としての駆動信号を各液晶パネル１２４Ａ１に出力して所定の光学像を形成させる。この液晶パネル駆動制御部１４２における前記所定の処理としては、例えば、拡大・縮小等の画像サイズ調整処理、台形歪補正処理、画質調整処理、ガンマ補正処理等がある。これらの各処理は、周知の技術であるので詳細な説明は省略する。
【００３０】
ランプ駆動制御部１４４は、所定のプログラムにしたがって、所定の駆動周波数で光源ランプ１２１Ａ１を駆動させる旨の制御指令をランプドライバ１２１Ａ３に出力し、ランプドライバ１２１Ａ３に所定の駆動周波数に応じた駆動信号を生成させ、光源ランプ１２１Ａ１を駆動させる。
【００３１】
ファン駆動制御部１４５は、所定のプログラムにしたがって、冷却ファン１３Ａを駆動制御する。このファン駆動制御部１４５は、図３に示すように、種別認識手段１４５Ａと、駆動制御手段１４５Ｂとを備える。
種別認識手段１４５Ａは、設定入力部１１２から出力される操作信号を入力し、入力した操作信号に基づいて吸気口１１１に取り付けられたエアフィルタＡＦの種別を認識する。すなわち、種別認識手段１４５Ａは、入力した操作信号に基づいて、吸気口１１１に対して３つのエアフィルタＡＦ１〜ＡＦ３のうちどのエアフィルタが取り付けられたのかを認識する。そして、種別認識手段１４５Ａは、認識したエアフィルタＡＦの種別（エアフィルタＡＦ１〜ＡＦ３）に応じた信号を駆動制御手段１４５Ｂに出力する。
【００３２】
駆動制御手段１４５Ｂは、メモリ１４６から種別認識手段１４５Ａにて認識されたエアフィルタＡＦの種別（エアフィルタＡＦ１〜ＡＦ３）に対応したファン制御情報を読み出し、ファン制御情報を用いてファン装置１３を駆動制御する。例えば、駆動制御手段１４５Ｂは、ファン制御情報（初期電圧値情報）に基づく初期電圧値で冷却ファン１３Ａを駆動させた後、冷却対象である光学装置１２４近傍に配設された温度検出部としてのサーミスタ１４７（図２）にて検出された検出温度を順次認識し、認識した検出温度と、種別認識手段１４５Ａにて認識されたエアフィルタＡＦの種別（エアフィルタＡＦ１〜ＡＦ３）に対応したメモリ１４６内の設定温度情報に基づく設定温度との偏差量を算出し、該偏差量に基づいて冷却ファン１３Ａに印加する電圧値を変更して光学装置１２４近傍の温度が前記設定温度になるようにフィードバック制御を実施する。なお、このフィードバック制御としては、検出温度と設定温度との偏差量に基づいて冷却ファン１３Ａに印加する電圧値を変更するフィードバック制御であればよく、比例制御、ＰＩ（Proportional Integral）制御、PID（Proportional Integral Differential）制御等のいずれを採用してもよい。
この駆動制御手段１４５Ｂは、図３に示すように、サーミスタ１４７から出力されるアナログ信号をデジタル信号に変換するＡＤＣ（Analog to Digital Converter）１４５Ｂ１と、上述したフィードバック制御を実施する制御部本体１４５Ｂ２と、制御部本体１４５Ｂ２により処理されて出力される所定の入力コードに応じてアナログ信号（電圧）をファンドライバ１３Ｂに出力するＤＡＣ（Digital to Analog Converter）１４５Ｂ３とを備えている。
【００３３】
メモリ１４６は、ファン駆動制御部１４５におけるフィードバック制御に必要な情報を記憶する。このメモリ１４６は、図３に示すように、ファン制御情報記憶手段１４６Ａと、設定温度情報記憶手段１４６Ｂとを備える。
ファン制御情報記憶手段１４６Ａは、制御部本体１４５Ｂ２がフィードバック制御を実施する際の初期電圧値に関するファン制御情報としての初期電圧値情報を、エアフィルタＡＦの種別に応じて複数、記憶する。例えば、ファン制御情報記憶手段１４６Ａは、複数の初期電圧値情報をエアフィルタＡＦの種別に対応させたテーブル構造を有する情報を記憶する。本実施形態では、エアフィルタＡＦの種別を３種類としているため、ファン制御情報記憶手段１４６Ａは、３種類のエアフィルタＡＦ１〜ＡＦ３に対応した３つの初期電圧値情報を記憶する。
設定温度情報記憶手段１４６Ｂは、制御部本体１４５Ｂ２がフィードバック制御を実施する際の設定温度に関する設定温度情報を、エアフィルタＡＦの種別に応じて複数、記憶する。例えば、設定温度情報記憶手段１４６Ｂは、複数の設定温度情報をエアフィルタＡＦの種別に対応させたテーブル構造を有する情報を記憶する。本実施形態では、エアフィルタＡＦの種別を３種類としているため、設定温度情報記憶手段１４６Ｂは、３種類のエアフィルタＡＦに対応した３つの設定温度情報を記憶する。
以上説明した、ファン駆動制御部１４５およびメモリ１４６が本発明に係るファン制御装置１４Ａに相当する。
【００３４】
〔プロジェクタの制御方法〕
次に、上述した制御装置１４によるプロジェクタ１の制御方法を図面に基づいて説明する。なお、以下の制御方法では、主に、ファン装置１３の制御方法を説明し、他の制御方法については、説明を省略する。また、以下の制御方法では、利用者により、予め、３つのエアフィルタＡＦ１〜ＡＦ３のうち、所望のエアフィルタＡＦが吸気口１１１に取り付けられているものとする。
図４は、プロジェクタ１の制御方法を説明するフローチャートである。
先ず、利用者によるプロジェクタ１の設定入力部１１２の電源ＯＮボタンが押下されることで、設定入力部１１２から制御装置１４に所定の操作信号が出力され、制御装置１４は、プロジェクタ１を起動する（ステップＳ１）。
【００３５】
ステップＳ１の後、制御装置１４のファン駆動制御部１４５を構成する種別認識手段１４５Ａが以下に示すように、吸気口１１１に取り付けられたエアフィルタＡＦの種別を認識する（ステップＳ２：種別認識ステップ）。
具体的に、ステップＳ１の後、利用者による「３つのエアフィルタＡＦ１〜ＡＦ３のうち、どのエアフィルタＡＦを吸気口１１１に取り付けたか」を示す情報が設定入力部１１２に設定入力されることで、設定入力部１１２から制御装置１４にエアフィルタＡＦの種別に応じた種別情報としての操作信号が出力され、制御装置１４のファン駆動制御部１４５が操作信号（種別情報）を入力する（ステップＳ２Ａ）。
ステップＳ２Ａの後、ファン駆動制御部１４５の種別認識手段１４５Ａは、入力した操作信号に基づいて、吸気口１１１に取り付けられたエアフィルタＡＦの種別を認識する（ステップＳ２Ｂ）。そして、種別認識手段１４５Ａは、認識したエアフィルタＡＦの種別に応じた信号を駆動制御手段１４５Ｂに出力する。
【００３６】
ステップＳ２の後、駆動制御手段１４５Ｂは、種別認識手段１４５Ａにて認識されたエアフィルタＡＦの種別に対応した初期電圧値情報、および設定温度情報をメモリ１４６から読み出す（ステップＳ３）。
ステップＳ３の後、駆動制御手段１４５Ｂは、読み出した初期電圧値情報に基づく初期電圧値で冷却ファン１３Ａを駆動させる。そして、駆動制御手段１４５Ｂは、サーミスタ１４７にて検出された検出温度を順次認識し、認識した検出温度と、読み出した設定温度情報に基づく設定温度との偏差量を算出し、該偏差量に基づいて冷却ファン１３Ａに印加する電圧値を変更して光学装置１２４近傍の温度が前記設定温度になるようにフィードバック制御を実施する（ステップＳ４：駆動制御ステップ）。
【００３７】
図５は、フィードバック制御の状態を模式的に示す図である。なお、図５では、横軸が光源ランプ１２１Ａ１の点灯後（プロジェクタ１の起動後）の経過時間を示し、縦軸がサーミスタ１４７の検出温度および冷却ファン１３Ａに印加する電圧値を示している。また、図５において、曲線ＣＬＳ１が吸気口１１１にエアフィルタＡＦ１が取り付けられている場合でのサーミスタ１４７の検出温度の挙動を示し、曲線ＣＬＶ１が吸気口１１１にエアフィルタＡＦ１が取り付けられている場合での冷却ファン１３Ａに印加する電圧値の挙動を示している。また、曲線ＣＬＳ２が吸気口１１１にエアフィルタＡＦ２が取り付けられている場合でのサーミスタ１４７の検出温度の挙動を示し、曲線ＣＬＶ２が吸気口１１１にエアフィルタＡＦ２が取り付けられている場合での冷却ファン１３Ａに印加する電圧値の挙動を示している。さらに、曲線ＣＬＳ３が吸気口１１１にエアフィルタＡＦ３が取り付けられている場合でのサーミスタ１４７の検出温度の挙動を示し、曲線ＣＬＶ３が吸気口１１１にエアフィルタＡＦ３が取り付けられている場合での冷却ファン１３Ａに印加する電圧値の挙動を示している。
【００３８】
例えば、ステップＳ２において吸気口１１１に取り付けられたエアフィルタＡＦがエアフィルタＡＦ１であると認識された場合、ステップＳ４では、図５の曲線ＣＬＶ１のように初期駆動時において初期電圧値Ｖ１で冷却ファン１３Ａを駆動した後、上述したフィードバック制御を実施することで、図５の曲線ＣＬＳ１のように光学装置１２４近傍の温度が光源ランプ１２１Ａ１の点灯後の時間の経過にしたがって設定温度Ｔ１近傍に安定する。
また、例えば、ステップＳ２において吸気口１１１に取り付けられたエアフィルタＡＦがエアフィルタＡＦ２であると認識された場合、ステップＳ４では、図５の曲線ＣＬＶ２のように初期駆動時において初期電圧値Ｖ１よりも所定電圧値だけ低い初期電圧値Ｖ２で冷却ファン１３Ａを駆動した後、上述したフィードバック制御を実施することで、図５の曲線ＣＬＳ２のように光学装置１２４近傍の温度が光源ランプ１２１Ａ１の点灯後の時間の経過にしたがって設定温度Ｔ１よりも所定温度だけ低い設定温度Ｔ２近傍に安定する。
さらに、例えば、ステップＳ２において吸気口１１１に取り付けられたエアフィルタＡＦがエアフィルタＡＦ３であると認識された場合、ステップＳ４では、図５の曲線ＣＬＶ３のように初期駆動時において初期電圧値Ｖ２よりも所定電圧値だけ低い初期電圧値Ｖ３で冷却ファン１３Ａを駆動した後、上述したフィードバック制御を実施することで、図５の曲線ＣＬＳ３のように光学装置１２４近傍の温度が光源ランプ１２１Ａ１の点灯後の時間の経過にしたがって設定温度Ｔ２よりも所定温度だけ低い設定温度Ｔ３近傍に安定する。
【００３９】
すなわち、本実施形態では、初期電圧値情報として、捕集効率の高いエアフィルタＡＦ１に対応した初期電圧値情報に基づく初期電圧値Ｖ１が最も高く、捕集効率の低いエアフィルタＡＦ３に対応した初期電圧値情報に基づく初期電圧値Ｖ３が最も低く設定されている。すなわち、エアフィルタＡＦの種別に応じた捕集効率の高いエアフィルタＡＦ１から捕集効率の低いエアフィルタＡＦ３にかけて、高い初期電圧値Ｖ１から低い初期電圧値Ｖ３に設定している。
また、同様に、設定温度情報として、捕集効率の高いエアフィルタＡＦ１に対応した設定温度情報に基づく設定温度Ｔ１が最も高く、捕集効率の低いエアフィルタＡＦ３に対応した設定温度情報に基づく設定温度Ｔ３が最も低く設定されている。すなわち、エアフィルタＡＦの種別に応じた捕集効率の高いエアフィルタＡＦ１から捕集効率の低いエアフィルタＡＦ３にかけて、高い設定温度Ｔ１から低い設定温度Ｔ３に設定している。
【００４０】
以上説明した第１実施形態では、ファン制御装置１４Ａにより、エアフィルタＡＦの種別に応じて冷却ファン１３Ａを駆動制御できるため、例えば、吸気口１１１に捕集効率の高いエアフィルタＡＦ１が取り付けられている場合には、予め、冷却ファン１３Ａの回転数を大きくした状態から冷却ファン１３Ａを駆動させる制御を実施することで、冷却ファン１３Ａの回転数の増加率を大きくすることなく冷却ファン１３Ａの駆動時の音を不要に大きくせずにプロジェクタ１の静粛性を確保できる。このため、プロジェクタ１から出力される音声が冷却ファン１３Ａから生じる騒音により妨害されることがなく、利用者にプロジェクタ１からの投影画像を良好に観賞させることができ不快感を与えることがない。
【００４１】
ここで、ファン制御装置１４Ａを構成する種別認識手段１４５Ａは、利用者により設定入力部１１２に「３つのエアフィルタＡＦ１〜ＡＦ３のうち、どのエアフィルタＡＦを吸気口１１１に取り付けたか」を示す情報が設定入力され、設定入力部１１２から出力される信号に基づいて、エアフィルタＡＦの種別を認識する。このことにより、エアフィルタＡＦの種別を簡単な構造で正確に認識できる。
【００４２】
また、ファン制御装置１４Ａを構成する駆動制御手段１４５Ｂは、種別認識手段１４５Ａにて認識されたエアフィルタＡＦの種別に対応した初期電圧値情報に基づく初期電圧値Ｖ１〜Ｖ３で冷却ファン１３Ａを駆動させた後、サーミスタ１４７にて検出された検出温度と、所定の設定温度Ｔ１〜Ｔ３とに基づいて、フィードバック制御を実施する。そして、初期電圧値情報として、捕集効率の高いエアフィルタＡＦ１に対応した初期電圧値情報に基づく初期電圧値Ｖ１が最も高く、捕集効率の低いエアフィルタＡＦ３に対応した初期電圧値情報に基づく初期電圧値Ｖ３が最も低く設定されている。このことにより、駆動制御手段１４５Ｂによる冷却ファン１３Ａのフィードバック制御時において、吸気口１１１に捕集効率の高いエアフィルタＡＦ１が取り付けられている場合には冷却ファン１３Ａに高い初期電圧値Ｖ１を印加して初期駆動時における冷却ファン１３Ａの回転数を大きくし、一方、吸気口１１１に捕集効率の低いエアフィルタＡＦ３が取り付けられている場合には冷却ファン１３Ａに低い初期電圧値Ｖ３を印加して初期駆動時における冷却ファン１３Ａの回転数を小さくできる。このため、駆動制御手段１４５Ｂによる冷却ファン１３Ａのフィードバック制御時において、冷却ファン１３Ａの回転数の増加率を大きくすることなく冷却ファン１３Ａの駆動時の音を不要に大きくせずに、光学装置１２４近傍の温度を所定の設定温度Ｔ１〜Ｔ３まで迅速に冷却できる。
【００４３】
さらに、駆動制御手段１４５Ｂによる冷却ファン１３Ａのフィードバック制御に用いられる設定温度情報として、捕集効率の高いエアフィルタＡＦ１に対応した設定温度情報に基づく設定温度Ｔ１が最も高く、捕集効率の低いエアフィルタＡＦ３に対応した設定温度情報に基づく設定温度Ｔ３が最も低く設定されている。このことにより、例えば、設定温度をエアフィルタＡＦの種別にかかわらず同一の設定温度とした場合と比較して、捕集効率の高いエアフィルタＡＦ１が吸気口１１１に取り付けられている際に冷却ファン１３Ａの回転数の増加率が大きくなったり、光学装置１２４近傍の温度が設定温度近傍に安定した状態での冷却ファン１３Ａの回転数が大きいものとなることがなく、エアフィルタＡＦの種別に適した冷却ファン１３Ａのフィードバック制御を実施できる。
【００４４】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図６は、第２実施形態における制御装置２４によるプロジェクタ２の制御構造を示すブロック図である。
前記第１実施形態では、種別認識手段１４５Ａは、設定入力部１１２から出力される操作信号に基づいて吸気口１１１に取り付けられたエアフィルタＡＦの種別を認識している。すなわち、利用者に「３つのエアフィルタＡＦ１〜ＡＦ３のうち、どのエアフィルタＡＦを吸気口１１１に取り付けたか」を示す情報を設定入力部１１２に設定入力させている。
これに対して本実施形態では、外装筺体１１における吸気口１１１近傍には、図６に示すように、吸気口１１１にエアフィルタＡＦを取り付けた際にエアフィルタＡＦと係合しエアフィルタＡＦの種別を検出する検出スイッチ１１３が設けられている。そして、ファン駆動制御部２４５を構成する種別認識手段２４５Ａは、検出スイッチ１１３から出力される信号に基づいて吸気口１１１に取り付けられたエアフィルタＡＦの種別を認識する。検出スイッチ１１３を設けた点、および種別認識手段２４５ＡにおけるエアフィルタＡＦの種別の認識方法が異なる点以外は、前記第１実施形態と同様のものである。
そして、ファン駆動制御部２４５およびメモリ１４６が本発明に係るファン制御装置２４Ａに相当する。
【００４５】
具体的に、図７は、検出スイッチ１１３およびエアフィルタＡＦの構造を模式的に示す図である。
エアフィルタＡＦには、図７に示すように、検出スイッチ１１３と係合する種別に応じた係合部ＡＦ１１，ＡＦ２１，ＡＦ３１が設けられている。より具体的に、エアフィルタＡＦ１には、図７に示すように、図７中、左端部分のみに係合部ＡＦ１１が設けられている。エアフィルタＡＦ２には、図７に示すように、図７中、左右両端部分に一対の係合部ＡＦ２１が設けられている。エアフィルタＡＦ３には、図７に示すように、図７中、右端部分のみに係合部ＡＦ３１が設けられている。
検出スイッチ１１３には、図７に示すように、エアフィルタＡＦ１〜ＡＦ３の係合部ＡＦ１１，ＡＦ２１，ＡＦ３１と係合可能とする２つのスイッチ部１１３Ａ，１１３Ｂが設けられている。
【００４６】
そして、例えば、吸気口１１１にエアフィルタＡＦ１を取り付けた場合には、エアフィルタＡＦ１の係合部ＡＦ１１が検出スイッチ１１３のスイッチ部１１３Ａと係合（スイッチ部１１３Ａを押圧）してスイッチ部１１３ＡのみがＯＮ状態となり、検出スイッチ１１３から「スイッチ部１１３ＡのみがＯＮ状態である」旨の信号、すなわち、「吸気口１１１にエアフィルタＡＦ１が取り付けられている」旨の信号が種別認識手段２４５Ａに出力される。そして、種別認識手段２４５Ａは、吸気口１１１に３つのエアフィルタＡＦ１〜ＡＦ３のうちエアフィルタＡＦ１が取り付けられた旨を認識する。
また、例えば、吸気口１１１にエアフィルタＡＦ２を取り付けた場合には、エアフィルタＡＦ２の一対の係合部ＡＦ２１が検出スイッチ１１３のスイッチ部１１３Ａ，１１３Ｂとそれぞれ係合（スイッチ部１１３Ａ，１１３Ｂを押圧）してスイッチ部１１３Ａ，１１３Ｂの双方がＯＮ状態となり、検出スイッチ１１３から「スイッチ部１１３Ａ，１１３Ｂの双方がＯＮ状態である」旨の信号、すなわち、「吸気口１１１にエアフィルタＡＦ２が取り付けられている」旨の信号が種別認識手段２４５Ａに出力される。そして、種別認識手段２４５Ａは、吸気口１１１に３つのエアフィルタＡＦ１〜ＡＦ３のうちエアフィルタＡＦ２が取り付けられた旨を認識する。
さらに、例えば、吸気口１１１にエアフィルタＡＦ３を取り付けた場合には、エアフィルタＡＦ３の係合部ＡＦ３１が検出スイッチ１１３のスイッチ部１１３Ｂと係合（スイッチ部１１３Ｂを押圧）してスイッチ部１１３ＢのみがＯＮ状態となり、検出スイッチ１１３から「スイッチ部１１３ＢのみがＯＮ状態である」旨の信号、すなわち、「吸気口１１１にエアフィルタＡＦ３が取り付けられている」旨の信号が種別認識手段２４５Ａに出力される。そして、種別認識手段２４５Ａは、吸気口１１１に３つのエアフィルタＡＦ１〜ＡＦ３のうちエアフィルタＡＦ３が取り付けられた旨を認識する。
【００４７】
なお、本実施形態では、上述したように、前記第１実施形態に対して検出スイッチ１１３が設けられた点、種別認識手段２４５ＡにおけるエアフィルタＡＦの種別の認識方法が異なるのみである。そして、本実施形態におけるプロジェクタ１の制御方法も、上述した点（ステップＳ２：種別認識ステップ）が異なる以外は、前記第１実施形態と同様である。
【００４８】
上述した第２実施形態においては、前記第１実施形態と比較して、外装筺体１１における吸気口１１１近傍に検出スイッチ１１３が設けられ、検出スイッチ１１３を構成する２つのスイッチ部１１３Ａ，１１３Ｂのうち少なくともいずれかのスイッチ部がエアフィルタＡＦの係合部ＡＦ１１，ＡＦ２１，ＡＦ３１と係合することで検出スイッチ１１３がエアフィルタＡＦの種別を検出する。そして、検出スイッチ１１３が検出した種別に応じた所定の信号を種別認識手段２４５Ａに出力することで、種別認識手段２４５ＡがエアフィルタＡＦの種別を認識する。このことにより、利用者にエアフィルタＡＦの種別を設定入力させる作業を実施させる必要がなく、エアフィルタＡＦの種別を簡単な構造で容易に認識できる。
【００４９】
[第３実施形態]
次に、本発明の第３実施形態を図面に基づいて説明する。
以下の説明では、前記第１実施形態と同様の構造および同一部材には同一符号を付して、その詳細な説明は省略または簡略化する。
図８は、第３実施形態における制御装置３４によるプロジェクタ３の制御構造を示すブロック図である。
前記第１実施形態では、種別認識手段１４５Ａは、設定入力部１１２から出力される操作信号に基づいて吸気口１１１に取り付けられたエアフィルタＡＦの種別を認識している。すなわち、利用者に「３つのエアフィルタＡＦ１〜ＡＦ３のうち、どのエアフィルタＡＦを吸気口１１１に取り付けたか」を示す情報を設定入力部１１２に設定入力させている。
これに対して本実施形態では、メモリ３４６には、前記第１実施形態で説明したファン制御情報記憶手段１４６Ａおよび設定温度情報記憶手段１４６Ｂの他、エアフィルタＡＦの種別を識別するための種別識別情報を記憶する種別識別情報記憶手段１４６Ｃを備える。また、ファン駆動制御部３４５を構成する種別認識手段３４５Ａは、サーミスタ１４７にて検出された検出温度を認識し、検出温度と種別識別情報とに基づいてエアフィルタＡＦの種別を認識する。種別識別情報記憶手段１４６Ｃを設けた点、および種別認識手段３４５ＡにおけるエアフィルタＡＦの種別の認識方法が異なる点以外は、前記第１実施形態と同様のものである。
そして、ファン駆動制御部３４５およびメモリ３４６が本発明に係るファン制御装置３４Ａに相当する。
【００５０】
図９は、種別識別情報記憶手段１４６Ｃに記憶された種別識別情報の一例を示す図である。
種別識別情報記憶手段１４６Ｃに記憶された種別識別情報は、サーミスタ１４７で検出された検出温度がいずれの温度範囲に位置付けられているかを判定し、判定された温度範囲に応じたエアフィルタＡＦの種別を識別するための情報である。具体的に、種別識別情報は、例えば、図９に示すように、温度閾値ＴＬ以下に対してエアフィルタＡＦ３を対応させ、温度閾値ＴＬ超温度閾値ＴＨ以下に対してエアフィルタＡＦ２を対応させ、温度閾値ＴＨ超に対してエアフィルタＡＦ１を対応させたテーブル構造を有している。
なお、図９において、温度閾値ＴＬは、温度閾値ＴＨよりも低い温度である。
【００５１】
種別認識手段３４５Ａは、種別識別情報記憶手段１４６Ｃに記憶された種別識別情報、およびサーミスタ１４７にて検出された検出温度に基づいて、光学装置１２４近傍の温度が、例えば、図９に示すような温度閾値ＴＬ以下、温度閾値ＴＬ超温度閾値ＴＨ以下、温度閾値ＴＨ超等のいずれの温度範囲に位置付けられているかを判定し、これら温度範囲に対応したエアフィルタＡＦの種別を認識する。
【００５２】
次に、第３実施形態におけるプロジェクタ３の制御方法を説明する。なお、本実施形態のプロジェクタ３の制御方法は、前記第１実施形態における制御方法と略同様に実施でき、異なる点は、図４に示すステップＳ２（種別認識ステップ）の処理のみであり、以下では、本実施形態におけるステップＳ２のみを説明する。その他のステップＳ１，Ｓ３，Ｓ４の処理は、前記第１実施形態と同様である。
図１０は、第３実施形態における種別認識ステップを説明するフローチャートである。
ステップＳ１においてプロジェクタ３が起動した後、制御装置３４のファン駆動制御部３４５は、所定のプログラムにしたがって、所定の電圧値で冷却ファン１３Ａを駆動させる（ステップＳ２Ｃ）。
【００５３】
ステップＳ２Ｃの後、ファン駆動制御部３４５は、サーミスタ１４７に所定の制御信号を出力し、サーミスタ１４７に光学装置１２４近傍の温度を検出させる（ステップＳ２Ｄ）。そして、サーミスタ１４７は、検出した検出温度Ｔに応じた信号をファン駆動制御部３４５の種別認識手段３４５Ａに出力する。
ステップＳ２Ｄの後、種別認識手段３４５Ａは、種別識別情報記憶手段１４６Ｃに記憶された種別識別情報を参照して、サーミスタ１４７にて検出された検出温度Ｔが、温度閾値ＴＬ以下であるか否かを判定する（ステップＳ２Ｅ）。
【００５４】
ステップＳ２Ｅにおいて、種別認識手段３４５Ａは、「Ｙ」と判定した場合、すなわち、検出温度Ｔが温度閾値ＴＬ以下であると判定した場合には、吸気口１１１に取り付けられたエアフィルタＡＦがエアフィルタＡＦ３であると認識する（ステップＳ２Ｆ）。
一方、ステップＳ２Ｅにおいて、種別認識手段３４５Ａは、「Ｎ」と判定した場合、すなわち、検出温度Ｔが温度閾値ＴＬ超であると判定した場合には、種別識別情報記憶手段１４６Ｃに記憶された種別識別情報を参照して、検出温度Ｔが温度閾値ＴＨ以下であるか否かを判定する（ステップＳ２Ｇ）。
【００５５】
ステップＳ２Ｆにおいて、種別認識手段３４５Ａは、「Ｙ」と判定した場合、すなわち、検出温度Ｔが温度閾値ＴＬ超温度閾値ＴＨ以下であると判定した場合には、吸気口１１１に取り付けられたエアフィルタＡＦがエアフィルタＡＦ２であると認識する（ステップＳ２Ｈ）。
一方、ステップＳ２Ｆにおいて、種別認識手段３４５Ａは、「Ｎ」と判定した場合、すなわち、検出温度Ｔが温度閾値ＴＨ超であると判定した場合には、吸気口１１１に取り付けられたエアフィルタＡＦがエアフィルタＡＦ１であると認識する（ステップＳ２Ｉ）。
【００５６】
上述した第３実施形態においては、前記第１実施形態と比較して、以下の効果がある。
例えば、吸気口１１１に捕集効率の高いエアフィルタＡＦ１が取り付けられている場合には、冷却ファン１３Ａにより吸気口１１１を介して外部からの冷却空気を導入する際の圧力損失が大きくなり、光学装置１２４近傍の温度の上昇率が大きいものとなる。一方、吸気口１１１に捕集効率の低いエアフィルタＡＦ３が取り付けられている場合には、冷却ファン１３Ａにより吸気口１１１を介して外部からの冷却空気を導入する際の圧力損失が小さくなり、光学装置１２４近傍の温度の上昇率が小さいものとなる。
本実施形態では、種別認識手段３４５Ａは、種別識別情報記憶手段１４６Ｃに記憶された種別識別情報、および、サーミスタ１４７にて検出された光学装置１２４近傍の検出温度Ｔに基づいて、検出温度Ｔが大きい場合（検出温度Ｔが温度閾値ＴＨ超の場合）には捕集効率の高いエアフィルタＡＦ１として、検出温度Ｔが小さい場合（検出温度Ｔが温度閾値ＴＬ以下の場合）には捕集効率の低いエアフィルタＡＦ３として、検出温度Ｔが上記の中間の場合（検出温度Ｔが温度閾値ＴＬ超温度閾値ＴＨ以下の場合）には捕集効率が上記の中間となるエアフィルタＡＦ２として認識できる。このことにより、利用者にエアフィルタＡＦの種別を設定入力させる作業を実施させる必要がなく、エアフィルタＡＦの種別を簡単な演算処理で容易に認識できる。
【００５７】
また、種別認識手段３４５Ａは、サーミスタ１４７にて検出された検出温度Ｔに基づいてエアフィルタＡＦの種別を認識できるので、冷却ファン１３Ａの駆動制御に必要なサーミスタ１４７を利用することができ、エアフィルタＡＦの種別を種別認識手段３４５Ａに認識させるために別途部材を設ける必要がなく、プロジェクタ３の低コスト化を図れる。
【００５８】
[第４実施形態]
次に、本発明の第４実施形態を図面に基づいて説明する。
以下の説明では、前記第１実施形態と同様の構造および同一部材には同一符号を付して、その詳細な説明は省略または簡略化する。
図１１は、第４実施形態における制御装置４４によるプロジェクタ４の制御構造を示すブロック図である。
前記第１実施形態では、種別認識手段１４５Ａは、設定入力部１１２から出力される操作信号に基づいて吸気口１１１に取り付けられたエアフィルタＡＦの種別を認識している。すなわち、利用者に「３つのエアフィルタＡＦ１〜ＡＦ３のうち、どのエアフィルタＡＦを吸気口１１１に取り付けたか」を示す情報を設定入力部１１２に設定入力させている。
これに対して本実施形態では、プロジェクタ４は、図１１に示すように、冷却ファン１３Ａにより空気を吸入・吐出する際の空気の風量を検出する風量検出部１４８を備える。また、メモリ４４６には、前記第１実施形態で説明したファン制御情報記憶手段１４６Ａおよび設定温度情報記憶手段１４６Ｂの他、風量検出部１４８にて用いられ風量を検出するための風量情報を記憶する風量情報記憶手段１４６Ｄと、エアフィルタＡＦの種別を識別するための種別識別情報を記憶する種別識別情報記憶手段１４６Ｅとを備える。さらに、ファン駆動制御部４４５を構成する種別認識手段４４５Ａは、風量検出部１４８にて検出された検出風量を認識し、検出風量と種別識別情報とに基づいてエアフィルタＡＦの種別を認識する。風量検出部１４８を設けた点、風量情報記憶手段１４６Ｄおよび種別識別情報記憶手段１４６Ｅを設けた点、および種別認識手段４４５ＡにおけるエアフィルタＡＦの種別の認識方法が異なる点以外は、前記第１実施形態と同様のものである。
そして、ファン駆動制御部４４５およびメモリ４４６が本発明に係るファン制御装置４４Ａに相当する。
【００５９】
風量検出部１４８の構成としては、特に限定されないが、本実施形態では、以下に示す構成を採用する。
風量検出部１４８は、図１１に示すように、風量センサ１４８１と、ファン駆動制御部４４５を構成する風量センサ制御部１４５Ｃとで構成される。
【００６０】
図１２は、風量センサ１４８１の配置位置を模式的に示す図である。
風量センサ１４８１は、具体的な図示は省略するが、抵抗素子等で構成される発熱体と、前記発熱体近傍に配置され前記発熱体の温度を検出する第１サーミスタと、前記発熱体の周囲に流れる冷却空気の温度を検出する第２サーミスタとで構成され、前記発熱体、前記第１サーミスタ、および前記第２サーミスタは同一のプリント配線基板上に実装されている。
本実施形態では、図１２に示すように、排出側ダクト１３２の空気の流出側は、２つに分岐されている。図１２に示すように、分岐された一方側を介した冷却空気が光学装置１２４に向けて送風される。そして、図１２に示すように、分岐された他方側に風量センサ１４８１が設けられ、冷却ファン１３Ａにより吐出され排出側ダクト１３２の前記他方側を流通する冷却空気が風量センサ１４８１に向けて送風される。
【００６１】
風量センサ制御部１４５Ｃは、風量センサ１４８１を駆動制御する。
ところで、冷却ファン１３Ａにより吐出された冷却空気が風量センサ１４８１に送風されている場合には、風量センサ１４８１を構成する前記発熱体の温度が冷却空気の風量に関係して低下する。この際、前記発熱体の温度変化は、前記冷却空気の温度、すなわち周囲温度の影響を受けてしまう。
そこで、風量センサ制御部１４５Ｃは、前記発熱体を一定の熱量で加熱しつつ、風量センサ１４８１を構成する前記第１サーミスタにて検出された前記発熱体の温度を、風量センサ１４８１を構成する前記第２サーミスタにて検出された冷却空気の温度（周囲温度）で補正して（前記第１サーミスタにて検出された検出値から前記第２サーミスタにて検出された検出値を減ずる）、前記周囲温度による影響を相殺した前記発熱体の補正温度を算出する。この後、風量センサ制御部１４５Ｃは、風量情報記憶手段１４６Ｄに記憶された風量情報と、算出した前記発熱体の補正温度とに基づいて、冷却ファン１３Ａの風量を算出する。そして、風量センサ制御部１４５Ｃは、算出した冷却ファン１３Ａの風量に応じた信号を種別認識手段４４５Ａに出力する。
【００６２】
上述したように前記発熱体の温度が冷却ファン１３Ａによる冷却空気の風量に関係しているため、風量情報記憶手段１４６Ｄに記憶された風量情報は、具体的な図示は省略するが、前記発熱体の補正温度に対して風量を対応させたテーブル構造を有している。
【００６３】
図１３は、種別識別情報記憶手段１４６Ｅに記憶された種別識別情報の一例を示す図である。
種別識別情報記憶手段１４６Ｅに記憶された種別識別情報は、風量検出部１４８で検出された検出風量がいずれの風量範囲に位置付けられているかを判定し、判定された風量範囲に応じたエアフィルタＡＦの種別を識別するための情報である。具体的に、種別識別情報は、例えば、図１３に示すように、風量閾値ＡＬ以下に対してエアフィルタＡＦ１を対応させ、風量閾値ＡＬ超風量閾値ＡＨ以下に対してエアフィルタＡＦ２を対応させ、風量閾値ＡＨ超に対してエアフィルタＡＦ３を対応させたテーブル構造を有している。
なお、図１３において、風量閾値ＡＬは、風量閾値ＡＨよりも低い風量である。
【００６４】
種別認識手段４４５Ａは、種別識別情報記憶手段１４６Ｅに記憶された種別識別情報、および風量検出部１４８にて検出された検出風量に基づいて、冷却ファン１３Ａによる冷却空気の風量が、例えば、図１３に示すような風量閾値ＡＬ以下、風量閾値ＡＬ超風量閾値ＡＨ以下、風量閾値ＡＨ超等のいずれの風量範囲に位置付けられているかを判定し、これら風量範囲に対応したエアフィルタＡＦの種別を認識する。
【００６５】
次に、第４実施形態におけるプロジェクタ４の制御方法を説明する。なお、本実施形態のプロジェクタ４の制御方法は、前記第１実施形態における制御方法と略同様に実施でき、異なる点は、図４に示すステップＳ２（種別認識ステップ）の処理のみであり、以下では、本実施形態におけるステップＳ２のみを説明する。その他のステップＳ１，Ｓ３，Ｓ４の処理は、前記第１実施形態と同様である。
図１４は、第４実施形態における種別認識ステップを説明するフローチャートである。
ステップＳ１においてプロジェクタ４が起動した後、制御装置４４のファン駆動制御部４４５は、所定のプログラムにしたがって、所定の電圧値で冷却ファン１３Ａを駆動させる（ステップＳ２Ｊ）。
【００６６】
ステップＳ２Ｊの後、ファン駆動制御部４４５の風量センサ制御部１４５Ｃは、風量センサ１４８１を駆動制御し、冷却ファン１３Ａによる冷却空気の風量を検出する（ステップＳ２Ｋ）。そして、風量センサ制御部１４５Ｃは、検出した検出風量Ａに応じた信号を種別認識手段４４５Ａに出力する。
ステップＳ２Ｋの後、種別認識手段４４５Ａは、種別識別情報記憶手段１４６Ｅに記憶された種別識別情報を参照して、風量検出部１４８にて検出された検出風量Ａが、風量閾値ＡＬ以下であるか否かを判定する（ステップＳ２Ｌ）。
【００６７】
ステップＳ２Ｌにおいて、種別認識手段４４５Ａは、「Ｙ」と判定した場合、すなわち、検出風量Ａが風量閾値ＡＬ以下であると判定した場合には、吸気口１１１に取り付けられたエアフィルタＡＦがエアフィルタＡＦ１であると認識する（ステップＳ２Ｍ）。
一方、ステップＳ２Ｌにおいて、種別認識手段４４５Ａは、「Ｎ」と判定した場合、すなわち、検出風量Ａが風量閾値ＡＬ超であると判定した場合には、種別識別情報記憶手段１４６Ｅに記憶された種別識別情報を参照して、検出風量Ａが風量閾値ＡＨ以下であるか否かを判定する（ステップＳ２Ｎ）。
【００６８】
ステップＳ２Ｎにおいて、種別認識手段４４５Ａは、「Ｙ」と判定した場合、すなわち、検出風量Ａが風量閾値ＡＬ超風量閾値ＡＨ以下であると判定した場合には、吸気口１１１に取り付けられたエアフィルタＡＦがエアフィルタＡＦ２であると認識する（ステップＳ２Ｏ）。
一方、ステップＳ２Ｎにおいて、種別認識手段４４５Ａは、「Ｎ」と判定した場合、すなわち、検出風量Ａが風量閾値ＡＨ超であると判定した場合には、吸気口１１１に取り付けられたエアフィルタＡＦがエアフィルタＡＦ３であると認識する（ステップＳ２Ｐ）。
【００６９】
上述した第４実施形態においては、前記第１実施形態と比較して、以下の効果がある。
例えば、吸気口１１１に捕集効率の高いエアフィルタＡＦ１が取り付けられている場合には、冷却ファン１３Ａにより吸気口１１１を介して外部からの冷却空気を導入する際の圧力損失が大きくなり、冷却ファン１３Ａにて吸入・吐出する際の冷却空気の風量が大きいものとなる。一方、吸気口１１１に捕集効率の低いエアフィルタＡＦ３が取り付けられている場合には、冷却ファン１３Ａにより吸気口１１１を介して外部からの冷却空気を導入する際の圧力損失が小さくなり、冷却ファン１３Ａにて吸入・吐出する際の冷却空気の風量が小さいものとなる。
本実施形態では、種別認識手段４４５Ａは、種別識別情報記憶手段１４６Ｅに記憶された種別識別情報、および、風量検出部１４８にて検出された冷却ファン１３Ａによる冷却空気の検出風量Ａに基づいて、検出風量Ａが大きい場合（検出風量Ａが風量閾値ＡＨ超の場合）には捕集効率の低いエアフィルタＡＦ３として、検出風量Ａが小さい場合（検出風量Ａが風量閾値ＡＬ以下の場合）には捕集効率の高いエアフィルタＡＦ１として、検出風量Ａが上記の中間の場合（検出風量Ａが風量閾値ＡＬ超風量閾値ＡＨ以下の場合）には捕集効率が上記の中間となるエアフィルタＡＦ２として認識できる。このことにより、利用者にエアフィルタＡＦの種別を設定入力させる作業を実施させる必要がなく、エアフィルタＡＦの種別を簡単な演算処理で容易に認識できる。
【００７０】
また、風量センサ１４８１が前記発熱体および前記第１サーミスタの他、前記第２サーミスタを備え、風量センサ制御部１４５Ｃが前記第１サーミスタにて検出された前記発熱体の温度を前記第２サーミスタにて検出された周囲温度にて補正して周囲温度の影響を相殺した前記発熱体の補正温度を算出しているので、冷却ファン１３Ａによる冷却空気の風量を高精度に検出できる。
【００７１】
[第５実施形態]
次に、本発明の第５実施形態を図面に基づいて説明する。
以下の説明では、前記第４実施形態と同様の構造および同一部材には同一符号を付して、その詳細な説明は省略または簡略化する。
図１５は、第５実施形態における風量センサ５４８１の構成、および配置位置を模式的に示す図である。
前記第４実施形態では、風量検出部１４８を構成する風量センサ１４８１は、発熱体、第１サーミスタ、および第２サーミスタが同一のプリント基板上に実装され、一体化されている。
これに対して本実施形態では、風量検出部５４８を構成する風量センサ５４８１は、図１５に示すように、発熱体５４８１Ａおよび第１の温度検出部としての第１サーミスタ５４８１Ｂが同一のプリント配線基板５４８１Ｃ上に実装され、第２の温度検出部としての第２サーミスタ５４８１Ｄがプリント配線基板５４８１Ｃとは異なるプリント配線基板５４８１Ｅ上に実装されている。すなわち、本実施形態では、発熱体５４８１Ａおよび第１サーミスタ５４８１Ｂと、第２サーミスタ５４８１Ｄとが別体で構成されている。風量センサ５４８１の構造が異なる点以外は、前記第４実施形態と同様のものである。
【００７２】
具体的に、発熱体５４８１Ａおよび第１サーミスタ５４８１Ｂは、前記第１実施形態と同様に、図１５に示すように、排出側ダクト１３２の分岐された他方側に設けられる。そして、発熱体５４８１Ａおよび第１サーミスタ５４８１Ｂには、冷却ファン１３Ａにより吐出され排出側ダクト１３２の前記他方側を流通する冷却空気が送風される。
また、第２サーミスタ５４８１Ｄは、図１５に示すように、吸気側ダクト１３１に設けられる。そして、第２サーミスタ５４８１Ｄには、冷却ファン１３Ａにより吸入され吸気口１１１およびエアフィルタＡＦを介して吸気側ダクト１３１を流通する冷却空気が送風される。
【００７３】
なお、本実施形態は、上述したように前記第４実施形態に対して風量センサ５４８１の構造が異なるのみであり、本実施形態のプロジェクタの制御方法は、前記第４実施形態における制御方法と同様に実施でき、その説明を省略する。
【００７４】
上述した第５実施形態においては、前記第４実施形態と比較して、風量センサ５４８１における発熱体５４８１Ａおよび第１サーミスタ５４８１Ｂと、第２サーミスタ５４８１Ｄとを２つに分けて別体で構成されているので、プロジェクタを製造する際に、風量センサ５４８１のレイアウトの自由度を向上できる。
また、発熱体５４８１Ａおよび第１サーミスタ５４８１Ｂと、第２サーミスタ５４８１Ｄとを別体で構成し、それぞれ冷却ファン１３Ａの排出側および吸気側に配置することで、発熱体５４８１Ａによる熱の影響を受けることなく、第２サーミスタ５４８１Ｄにて周囲温度を良好に検出させることができ、風量センサ制御部１４５Ｃにより算出される発熱体５４８１Ａの補正温度を高精度に、すなわち、冷却ファン１３Ａによる冷却空気の風量をより高精度なものとすることができる。
【００７５】
[第６実施形態]
次に、本発明の第６実施形態を図面に基づいて説明する。
以下の説明では、前記第１実施形態と同様の構造および同一部材には同一符号を付して、その詳細な説明は省略または簡略化する。
図１６は、第６実施形態における制御装置６４によるプロジェクタ６の制御構造を示すブロック図である。
本実施形態は、図１６に示すように、前記第１実施形態に対して、ファン駆動制御部６４５に、計測手段１４５Ｄおよび報知制御手段１４５Ｅを設けた点が異なる。さらに、本実施形態は、図１６に示すように、前記第１実施形態に対して、メモリ６４６に、時間情報記憶手段１４６Ｆを設けた点が異なる。計測手段１４５Ｄ、報知制御手段１４５Ｅ、および時間情報記憶手段１４６Ｆを設けた点以外は、前記第１実施形態と同様のものである。
そして、ファン駆動制御部６４５およびメモリ６４６が本発明に係るファン制御装置６４Ａに相当する。
【００７６】
計測手段１４５Ｄは、タイマ等で構成され、種別認識手段１４５ＡにてエアフィルタＡＦの種別が認識された時点（ステップＳ２の終了時点）からプロジェクタ１の駆動時間を計測する。そして、計測手段１４５Ｄは、計測した駆動時間に応じた信号を報知制御手段１４５Ｅに出力する。
【００７７】
時間情報記憶手段１４６Ｆに記憶された時間情報は、具体的な図示は省略するが、各エアフィルタＡＦ１〜ＡＦ３を交換するタイミングを示す各交換時間に関する３つの時間情報を各エアフィルタＡＦ１〜ＡＦ３に対応させたテーブル構造を有している。
報知制御手段１４５Ｅは、計測手段１４５Ｄにて計測された計測時間と、種別認識手段１４５Ａにて認識されたエアフィルタＡＦの種別に対応する時間情報に基づく交換時間とを比較する。そして、報知制御手段１４５Ｅは、前記計測時間が前記交換時間に達した場合に、所定の制御指令を液晶パネル駆動制御部１４２に出力し、エアフィルタＡＦの交換を促す情報、例えば、「エアフィルタＡＦを交換して下さい」旨のメッセージをスクリーン上に生成させる。そして、利用者は、スクリーン上のメッセージを確認し、エアフィルタＡＦの交換時期を認識する。すなわち、本発明に係る報知部は、液晶パネル駆動制御部１４２および光学ユニット１２に相当する。
【００７８】
なお、本実施形態は、上述したように前記第１実施形態に対して計測手段１４５Ｄ、報知制御手段１４５Ｅ、および時間情報記憶手段１４６Ｆを設けた点が異なるのみであり、本実施形態のプロジェクタ６の制御方法は、前記第１実施形態における制御方法と同様に実施でき、その説明を省略する。
【００７９】
上述した第６実施形態においては、前記第１実施形態と比較して、以下の効果がある。
例えば、エアフィルタＡＦを長期間使用した場合には、エアフィルタＡＦに塵埃等の異物が捕集され、エアフィルタＡＦによる捕集効率が変化してしまう。このようにエアフィルタＡＦの捕集効率が変化した場合には、前記第１実施形態で説明したようにエアフィルタＡＦの種別に応じて冷却ファン１３Ａの駆動制御（フィードバック制御）を実施しても、冷却ファン１３Ａにて光学装置１２４等を効率的に冷却することが難しい。
本実施形態では、計測手段１４５Ｄは、種別認識手段１４５ＡにてエアフィルタＡＦの種別が認識された時点からプロジェクタ６の駆動時間を計測する。そして、報知制御手段１４５Ｅは、計測手段１４５Ｄにて計測された計測時間と、種別認識手段１４５Ａにて認識されたエアフィルタＡＦの種別に対応した時間情報に基づく交換時間とが同一となった場合に、液晶パネル駆動制御部１４２および光学ユニット１２を駆動制御して、エアフィルタＡＦの交換を促す情報をスクリーンに生成させる。このことにより、利用者にエアフィルタＡＦの交換時期を認識させることができ、利用者がエアフィルタＡＦを交換、あるいは、エアフィルタＡＦの清掃を実施すれば、前記第１実施形態で説明したようにファン制御装置１４ＡがエアフィルタＡＦの種別に応じて冷却ファン１３Ａの駆動制御を実施することで冷却ファン１３Ａにて光学装置１２４等を効率的に冷却できる。
【００８０】
なお、本発明は前述の実施形態に限定されるものではなく、本発明の目的を達成できる範囲での変形、改良等は本発明に含まれるものである。
前記各実施形態では、冷却対象を光学装置１２４としているが、これに限らず、その他の部材、例えば、光源装置１２１Ａ、偏光変換素子１２１Ｄ、および電源装置等を冷却対象としても構わない。
前記各実施形態では、エアフィルタＡＦの種別は、３種類としていたが、これに限らず、２種類でもよく、あるいは、４種類以上としても構わない。
【００８１】
前記各実施形態では、駆動制御手段１４５Ｂは、冷却ファン１３Ａを駆動制御する際にフィードバック制御を実施していたが、これに限らず、その他の駆動制御、例えば以下に示す温度対応制御を実施しても構わない。
例えば、ファン制御情報記憶手段１４６Ａに記憶されたファン制御情報として、温度に関する温度情報、および前記温度に応じた回転数で冷却ファン１３Ａを駆動させるための電圧値に関する電圧値情報が関連付けられた電圧温度関連情報をエアフィルタＡＦの種別にそれぞれ対応させたテーブル構造を有する情報で構成する。
そして、駆動制御手段１４５Ｂは、サーミスタ１４７にて検出された光学装置１２４近傍の検出温度を順次認識し、認識した検出温度、および種別認識手段１４５Ａ，２４５Ａ，３４５Ａ，４４５Ａにて認識されたエアフィルタＡＦの種別に対応した前記電圧温度関連情報に基づいて、前記検出温度に応じた電圧値で冷却ファン１３Ａを駆動させる温度対応制御を実施する。
駆動制御手段１４５Ｂが上述した温度対応制御を実施する構成とした場合でも、前記各実施形態で説明したフィードバック制御を実施する構成と略同様の効果を享受できる。
【００８２】
前記第２実施形態において、検出スイッチ１１３のスイッチ部１１３Ａ，１１３Ｂ、およびエアフィルタＡＦの係合部ＡＦ１１，ＡＦ２１，ＡＦ３１の構造は、検出スイッチ１１３の複数のスイッチ部のうち少なくともいずれかのスイッチ部とエアフィルタＡＦ１〜ＡＦ３のうちいずれかの係合部とが係合可能（スイッチ部を押圧（ＯＮ状態）可能）に構成されていれば、いずれの構造を採用しても構わない。
【００８３】
前記第４実施形態において、風量検出部１４８の構成は、その他の構成を採用しても構わない。
例えば、風量センサ制御部１４５Ｃおよび風量情報記憶手段１４６Ｄを制御装置４４に設け、風量センサ制御部１４５Ｃおよび風量情報記憶手段１４６Ｄと風量センサ１４８１とを別体で構成したが、風量センサ制御部１４５Ｃおよび風量情報記憶手段１４６Ｄを、風量センサ１４８１を構成する前記発熱体、前記第１サーミスタ、および前記第２サーミスタが実装されるプリント配線基板上に実装しても構わない。
また、例えば、風量検出部の構成として、例えば、定温度差法を利用した風量検出部を採用しても構わない。
すなわち、風量検出部を、発熱体と、周囲温度センサと、これらを制御する制御回路とを含んで構成し、前記制御回路にて前記発熱体の温度が前記周囲温度センサにて検出された周囲温度に対して常に一定の温度差になるように制御する。そして、冷却ファン１３Ａにて吐出され排出側ダクト１３２の前記他方側を流通する冷却空気により前記温度差が一定値から外れた際に、前記制御回路が前記温度差を一定値とするように前記発熱体を制御する。この際、前記発熱体から奪われる熱量は、前記冷却空気の風量と相関があるので、前記制御回路は、前記発熱体に対する加熱電力量から空気の風量を算出する。そして、風量検出部は、算出した風量に応じた信号を種別認識手段４４５Ａに出力する。
【００８４】
前記第４実施形態および前記第５実施形態において、風量センサ１４８１，５４８１の配置位置は、前記第４実施形態および前記第５実施形態で説明した配置位置に限らない。
例えば、前記第４実施形態では、風量センサ１４８１は、排出側ダクト１３２に設けられていたが、これに限らず、その他の位置、例えば、吸気側ダクト１３１に設けても構わない。
また、例えば、前記第５実施形態では、風量センサ５４８１を構成する発熱体５４８１Ａおよび第１サーミスタ５４８１Ｂが排出側ダクト１３２に設けられ、第２サーミスタ５４８１Ｄが吸気側ダクト１３１に設けられていたが、それぞれその他の位置、例えば、以下に示す位置にそれぞれ配設しても構わない。
例えば、発熱体５４８１Ａおよび第１サーミスタ５４８１Ｂを吸気側ダクト１３１に設け、第２サーミスタ５４８１Ｄを排出側ダクト１３２に設ける。
また、例えば、発熱体５４８１Ａおよび第１サーミスタ５４８１Ｂと、第２サーミスタ５４８１Ｄとを、吸気側ダクト１３１および排出側ダクト１３２のうちいずれかの同一のダクトに設ける。発熱体５４８１Ａおよび第１サーミスタ５４８１Ｂに対し、第２サーミスタ５４８１Ｄが発熱体５４８１Ａの熱の影響を受けない位置に設けられていればよい。
【００８５】
前記第６実施形態において、本発明に係る報知部としては、液晶パネル駆動制御部１４２および光学ユニット１２に限らず、エアフィルタＡＦの交換を促すメッセージ等を音声にて報知する音声出力部を採用してもよく、あるいは、所定の色で発光するＬＥＤ(Light Emitting Diode)等の発光素子を採用してもよい。
【００８６】
前記第６実施形態では、計測手段１４５Ｄにて計測された計測時間に基づいて報知制御手段１４５ＥがエアフィルタＡＦの交換時期を利用者に促す制御を実施していたが、これに限らず、その他の構成を採用しても構わない。
例えば、サーミスタ１４７にて検出された光学装置１２４近傍の検出温度に基づいて報知制御手段１４５ＥがエアフィルタＡＦの交換時期を利用者に促す制御を実施する構成を採用しても構わない。この際、エアフィルタＡＦの交換時期に対応した温度に関する温度情報をエアフィルタＡＦの種別にそれぞれ対応させたテーブル構造を有する情報をメモリ等に記憶させておく。そして、報知制御手段１４５Ｅは、サーミスタ１４７にて検出された検出温度と、種別認識手段１４５Ａにて認識されたエアフィルタＡＦの種別に対応する前記温度情報に基づく設定温度とを比較し、前記検出温度が前記設定温度以上となった場合に、報知部にエアフィルタＡＦの交換を促す情報を報知させる。
【００８７】
また、例えば、風量検出部１４８，５４８にて検出された冷却ファン１３Ａによる冷却空気の検出風量に基づいて報知制御手段１４５ＥがエアフィルタＡＦの交換時期を利用者に促す制御を実施する構成を採用しても構わない。この際、エアフィルタＡＦの交換時期に対応した風量に関する風量情報をエアフィルタＡＦの種別にそれぞれ対応させたテーブル構造を有する情報をメモリ等に記憶させておく。そして、報知制御手段１４５Ｅは、風量検出部１４８，５４８にて検出された検出風量と、種別認識手段１４５Ａにて認識されたエアフィルタＡＦの種別に対応する前記風量情報に基づく設定風量とを比較し、前記検出風量が前記設定風量以上となった場合に、報知部にエアフィルタＡＦの交換を促す情報を報知させる。
【００８８】
前記第６実施形態は、前記第１実施形態に採用した構成を説明したが、前記第２実施形態ないし前記第５実施形態に採用した構成としても構わない。
前記各実施形態では、透過型の液晶パネル１２４Ａ１を採用していたが、これに限らず、反射型の液晶パネルを採用してもよく、あるいは、ディジタル・マイクロミラー・デバイス（テキサス・インスツルメント社の商標）を採用してもよい。
前記各実施形態では、液晶パネル１２４Ａ１を３枚設けた構成としていたが、これに限らず、１枚のみの液晶パネルを設ける構成、２枚の液晶パネルを設ける構成、４枚以上の液晶パネルを設ける構成としてもよい。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
前記各実施形態では、本発明に係る電子機器としてプロジェクタを採用したが、これに限らず、冷却ファン、ファン制御装置、および外装筺体を備える電子機器であればいずれの電子機器でも本発明を採用することができる。
【００８９】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００９０】
本発明の電子機器は、エアフィルタの種別に応じて冷却ファンを駆動制御できるため、プレゼンテーションやホームシアタ等に用いられるプロジェクタとして利用できる。
【図面の簡単な説明】
【００９１】
【図１】第１実施形態における電子機器としてのプロジェクタの概略構成を示す図。
【図２】前記実施形態におけるファン装置による冷却構造の一例を模式的に示す図。
【図３】前記実施形態における制御装置によるプロジェクタの制御構造を示すブロック図。
【図４】前記実施形態におけるプロジェクタの制御方法を説明するフローチャート。
【図５】前記実施形態におけるフィードバック制御の状態を模式的に示す図。
【図６】第２実施形態における制御装置によるプロジェクタの制御構造を示すブロック図。
【図７】前記実施形態における検出スイッチおよびエアフィルタの構造を模式的に示す図。
【図８】第３実施形態における制御装置によるプロジェクタの制御構造を示すブロック図。
【図９】前記実施形態における種別識別情報記憶手段に記憶された種別識別情報の一例を示す図。
【図１０】前記実施形態における種別認識ステップを説明するフローチャート。
【図１１】第４実施形態における制御装置によるプロジェクタの制御構造を示すブロック図。
【図１２】前記実施形態における風量センサの配置位置を模式的に示す図。
【図１３】前記実施形態における種別識別情報記憶手段に記憶された種別識別情報の一例を示す図。
【図１４】前記実施形態における種別認識ステップを説明するフローチャート。
【図１５】第５実施形態における風量センサの構成、および配置位置を模式的に示す図。
【図１６】第６実施形態における制御装置によるプロジェクタの制御構造を示すブロック図。
【符号の説明】
【００９２】
１，２，３，４，６・・・プロジェクタ（電子機器）、１１・・・外装筺体、１３Ａ・・・冷却ファン、１４Ａ，２４Ａ，３４Ａ，４４Ａ，６４Ａ・・・ファン制御装置、１１１・・・吸気口、１１２・・・設定入力部、１１３・・・検出スイッチ、１１３Ａ，１１３Ｂ・・・スイッチ部、１２１Ａ・・・光源装置、１２４Ａ・・・光変調装置、１２５・・・投射レンズ（投射光学装置）、１４５Ａ，２４５Ａ，３４５Ａ，４４５Ａ・・・種別認識手段、１４５Ｂ・・・駆動制御手段、１４５Ｄ・・・計測手段、１４５Ｅ・・・報知制御手段、１４６Ａ・・・ファン制御情報記憶手段、１４６Ｆ・・・時間情報記憶手段、１４７・・・サーミスタ（温度検出部）、１４８，５４８・・・風量検出部、５４８１Ａ・・・発熱体、５４８１Ｂ・・・第１サーミスタ（第１の温度検出部）、５４８１Ｄ・・・第２サーミスタ（第２の温度検出部）、ＡＦ，ＡＦ１，ＡＦ２，ＡＦ３・・・エアフィルタ、ＡＦ１１，ＡＦ２１，ＡＦ３１・・・係合部、Ｓ２・・・種別認識ステップ、Ｓ４・・・駆動制御ステップ。
【図１】
2007073707.tif 000003
【図２】
2007073707.tif 000004
【図３】
2007073707.tif 000005
【図４】
2007073707.tif 000006
【図５】
2007073707.tif 000007
【図６】
2007073707.tif 000008
【図７】
2007073707.tif 000009
【図８】
2007073707.tif 000010
【図９】
2007073707.tif 000011
【図１０】
2007073707.tif 000012
【図１１】
2007073707.tif 000013
【図１２】
2007073707.tif 000014
【図１３】
2007073707.tif 000015
【図１４】
2007073707.tif 000016
【図１５】
2007073707.tif 000017
【図１６】
2007073707.tif 000018